(57)【要約】   本発明は、視野角切換方法及び装置に関し、電子技術分野に属する。前記視野角切換方法は、視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであるステップと、前記ディスプレイスクリーンの現在の視野角及び前記画像階調値に基づいて、目標階調値を決定し、前記目標階調値は、切り換えられた後の視野角において、切り換える前のスクリーンの輝度値と同じスクリーンの輝度値を取得することができる階調値であるステップと、前記ディスプレイスクリーンを狭視野角と広視野角との間で切り換え、且つ前記画像の画像階調を目標階調値に設定するステップと、を含む。本発明は、スクリーンの輝度が視野角の切り換えられる前後で変更されないので、視野角が切り換えられる時、スクリーンが突然明るくなったり、突然暗くなったりすることを避け、表示性能を向上させることができる。【選択図】図１
2019514031.tif 000002
【特許請求の範囲】
【請求項１】
視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用するステップと、
前記ディスプレイスクリーンの現在の視野角及び前記画像階調値に基づいて、目標階調値を決定し、前記目標階調値は、切り換えられた後の視野角において、切り換える前のスクリーンの輝度値と同じスクリーンの輝度値を取得することができる階調値であるステップと、
前記ディスプレイスクリーンを狭視野角と広視野角との間で切り換え、且つ前記画像の画像階調を前記目標階調値に設定するステップと、を含む
ことを特徴とする視野角切換方法。
【請求項２】
前記ディスプレイスクリーンの現在の視野角及び前記画像階調値に基づいて、目標階調値を決定するステップは、
前記ディスプレイスクリーンの現在の視野角及び前記画像階調値に基づき、予め設定された調整曲線によって前記目標階調値を決定し、前記予め設定された調整曲線は、スクリーンの輝度が同じである場合の、前記狭視野角における画像階調と前記広視野角における画像階調との関係を示すためのものであるステップを含む
ことを特徴とする請求項１に記載の視野角切換方法。
【請求項３】
前記ディスプレイスクリーンの現在の視野角及び前記画像階調値に基づき、予め設定された調整曲線によって目標階調値を決定するステップに先立ち、
第１の予め設定の輝度曲線及び第２の予め設定の輝度曲線に基づいて、前記予め設定された調整曲線を生成し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものであるステップを、さらに含む
ことを特徴とする請求項２に記載の視野角切換方法。
【請求項４】
前記ディスプレイスクリーンの現在の視野角及び前記画像階調値に基づき、予め設定された調整曲線によって目標階調値を決定するステップは、
前記ディスプレイスクリーンの現在の視野角に基づいて、前記予め設定された調整曲線において前記画像階調値が独立変数であるか、それとも従属変数であるかを判断するステップと、
前記画像階調値が独立変数である場合、前記予め設定された調整曲線において横座標が前記画像階調値である点の縦座標を取得し、当該取得された縦座標を前記目標階調値として決定するステップと、
前記画像階調値が従属変数である場合、前記予め設定された調整曲線において縦座標が前記画像階調値である点の横座標を取得し、当該取得された横座標を前記目標階調値として決定するステップと、を含む
ことを特徴とする請求項２又は３に記載の視野角切換方法。
【請求項５】
前記ディスプレイスクリーンの現在の視野角及び前記画像階調値に基づいて、目標階調値を決定するステップは、
前記ディスプレイスクリーンの現在の視野角及び前記画像階調値に基づき、第１の予め設定の輝度曲線及び第２の予め設定の輝度曲線によって前記目標階調値を決定し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものであるステップを含む
ことを特徴とする請求項１に記載の視野角切換方法。
【請求項６】
前記ディスプレイスクリーンの現在の視野角及び前記画像階調値に基づき、第１の予め設定の輝度曲線及び第２の予め設定の輝度曲線によって目標階調値を決定するステップは、
前記ディスプレイスクリーンの現在の視野角が狭視野角である場合、前記第１の予め設定の輝度曲線から前記画像階調値に対応するスクリーンの輝度値を取得し、前記第２の予め設定の輝度曲線から前記スクリーンの輝度値に対応する画像階調値を取得し、前記目標階調値とするステップと、
前記ディスプレイスクリーンの現在の視野角が広視野角である場合、前記第２の予め設定の輝度曲線から前記画像階調値に対応するスクリーンの輝度値を取得し、前記第１の予め設定の輝度曲線から前記スクリーンの輝度値に対応する画像階調値を取得し、前記目標階調値とするステップと、を含む
ことを特徴とする請求項５に記載の視野角切換方法。
【請求項７】
視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用する取得モジュールと、
前記ディスプレイスクリーンの現在の視野角及び前記画像階調値に基づいて、目標階調値を決定し、前記目標階調値は、切り換えられた後の視野角において、切り換える前のスクリーンの輝度値と同じスクリーンの輝度値を取得することができる階調値である決定モジュールと、
前記ディスプレイスクリーンを狭視野角と広視野角との間で切り換え、且つ前記画像の画像階調を前記目標階調値に設定するための切換モジュールと、を含む
ことを特徴とする視野角切換装置。
【請求項８】
前記決定モジュールは、
前記ディスプレイスクリーンの現在の視野角及び前記画像階調値に基づき、予め設定された調整曲線によって前記目標階調値を決定し、前記予め設定された調整曲線は、スクリーンの輝度が同じである場合の、前記狭視野角における画像階調と前記広視野角における画像階調との関係を示すためのものである第１の決定サブモジュールを含む
ことを特徴とする請求項７に記載の視野角切換装置。
【請求項９】
前記決定モジュールは、
第１の予め設定の輝度曲線及び第２の予め設定の輝度曲線に基づいて、前記予め設定された調整曲線を生成し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものである生成サブモジュールを、さらに含む
ことを特徴とする請求項８に記載の視野角切換装置。
【請求項１０】
前記第１の決定サブモジュールは、
前記ディスプレイスクリーンの現在の視野角に基づいて、前記予め設定された調整曲線において前記画像階調値が独立変数であるか、それとも従属変数であるかを判断し、
前記画像階調値が独立変数である場合、前記予め設定された調整曲線において横座標が前記画像階調値である点の縦座標を取得し、当該取得された縦座標を前記目標階調値として決定し、
前記画像階調値が従属変数である場合、前記予め設定された調整曲線において縦座標が前記画像階調値である点の横座標を取得し、当該取得された横座標を前記目標階調値として決定する
ことを特徴とする請求項８又は９に記載の視野角切換装置。
【請求項１１】
前記決定モジュールは、
前記ディスプレイスクリーンの現在の視野角及び前記画像階調値に基づき、第１の予め設定の輝度曲線及び第２の予め設定の輝度曲線によって前記目標階調値を決定し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものである第２の決定サブモジュールを含む
ことを特徴とする請求項７に記載の視野角切換方法。
【請求項１２】
前記第２の決定サブモジュールは、
前記ディスプレイスクリーンの現在の視野角が狭視野角である場合、前記第１の予め設定の輝度曲線から前記画像階調値に対応するスクリーンの輝度値を取得し、前記第２の予め設定の輝度曲線から前記スクリーンの輝度値に対応する画像階調値を取得し、前記目標階調値とし、
前記ディスプレイスクリーンの現在の視野角が広視野角である場合、前記第２の予め設定の輝度曲線から前記画像階調値に対応するスクリーンの輝度値を取得し、前記第１の予め設定の輝度曲線から前記スクリーンの輝度値に対応する画像階調値を取得し、前記目標階調値とする
ことを特徴とする請求項１１に記載の視野角切換方法。
【請求項１３】
プロセッサと、
前記プロセッサにより実行可能な命令を記憶するためのメモリとを備え、
前記プロセッサは、
視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用し、
前記ディスプレイスクリーンの現在の視野角及び前記画像階調値に基づいて目標階調値を決定し、前記目標階調値は、切り換えられた後の視野角において、切り換える前のスクリーンの輝度値と同じスクリーンの輝度値を取得することができる階調値であり、
前記ディスプレイスクリーンを狭視野角と広視野角との間で切り換え、且つ前記画像の画像階調を前記目標階調値に設定するように構成される
ことを特徴とする視野角切換装置。
【発明の詳細な説明】
【技術分野】
【０００１】
本発明は、電子技術分野に関し、特に、視野角切換方法及び装置に関する。
【背景技術】
【０００２】
ディスプレイスクリーンは電子機器の中で一番よく見かける入出力装置の一つであり、文字、画像及びビデオなどの表示に用いることができる。現在、ユーザーの異なる鑑賞要求を満たすために、ディスプレイスクリーンを狭視野角と広視野角との間で切り換えることが多い。狭視野角は、ディスプレイスクリーンが平行バックライトを利用している場合の視野角であり、広視野角は、ディスプレイスクリーンが発散バックライトを利用している場合の視野角であり、そして狭視野角である時のディスプレイスクリーンの可視角は、広視野角である時のディスプレイスクリーンの可視角より狭い。しかしながら、ディスプレイスクリーンは、狭視野角である時に平行バックライトを利用し、広視野角である時に発散バックライトを利用しているので、表示されている画像の画像階調が同じである場合、狭視野角におけるスクリーンの輝度は広視野角におけるスクリーンの輝度より大きい。この時、ディスプレイスクリーンは、スクリーンの輝度が視野角を切り換えた後に変更されるので、表示性能の低下を招いてしまう。従って、表示性能を向上させることができる視野角切換方法が強く求められている。
【発明の概要】
【発明が解決しようとする課題】
【０００３】
本発明は、視野角を切り換える時の表示性能を向上させるために、視野角切換方法及び装置を提供する。
【課題を解決するための手段】
【０００４】
本発明の第１の態様によると、視野角切換方法が提供され、前記視野角切換方法は、
視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用するステップと、
前記ディスプレイスクリーンの現在の視野角及び前記画像階調値に基づいて、目標階調値を決定し、前記目標階調値は、切り換えられた後の視野角において、切り換える前のスクリーンの輝度値と同じスクリーンの輝度値を取得ことができる階調値であるステップと、
前記ディスプレイスクリーンを狭視野角と広視野角との間で切り換え、且つ前記画像の画像階調を前記目標階調値に設定するステップと、を含む。
【０００５】
好ましくは、前記ディスプレイスクリーンの現在の視野角及び前記画像階調値に基づいて、目標階調値を決定するステップは、
前記ディスプレイスクリーンの現在の視野角及び前記画像階調値に基づき、予め設定された調整曲線によって目標階調値を決定し、前記予め設定された調整曲線は、スクリーンの輝度が同じである場合の、前記狭視野角における画像階調と前記広視野角における画像階調との関係を示すためのものであるステップを含む。
【０００６】
好ましくは、前記ディスプレイスクリーンの現在の視野角及び前記画像階調値に基づき、予め設定された調整曲線によって目標階調値を決定するステップに先立ち、
第１の予め設定の輝度曲線及び第２の予め設定の輝度曲線に基づいて、前記予め設定された調整曲線を生成し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものであるステップを、さらに含む。
【０００７】
好ましくは、前記ディスプレイスクリーンの現在の視野角及び前記画像階調値に基づき、予め設定された調整曲線によって目標階調値を決定するステップは、
前記ディスプレイスクリーンの現在の視野角に基づいて、前記予め設定された調整曲線において前記画像階調値が独立変数であるか、それとも従属変数であるかを判断するステップと、
前記画像階調値が独立変数である場合、前記予め設定された調整曲線において横座標が前記画像階調値である点の縦座標を取得し、当該取得された縦座標を前記目標階調値として決定するステップと、
前記画像階調値が従属変数である場合、前記予め設定された調整曲線において縦座標が前記画像階調値である点の横座標を取得し、当該取得された横座標を前記目標階調値として決定するステップと、を含む。
【０００８】
好ましくは、前記ディスプレイスクリーンの現在の視野角及び前記画像階調値に基づいて、目標階調値を決定するステップは、
前記ディスプレイスクリーンの現在の視野角及び前記画像階調値に基づき、第１の予め設定の輝度曲線及び第２の予め設定の輝度曲線によって目標階調値を決定し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものであるステップを含む。
【０００９】
好ましくは、前記ディスプレイスクリーンの現在の視野角及び前記画像階調値に基づき、第１の予め設定の輝度曲線及び第２の予め設定の輝度曲線によって目標階調値を決定するステップは、
前記ディスプレイスクリーンの現在の視野角が狭視野角である場合、前記第１の予め設定の輝度曲線から前記画像階調値に対応するスクリーンの輝度値を取得し、前記第２の予め設定の輝度曲線から前記スクリーンの輝度値に対応する画像階調値を取得し、目標階調値とするステップと、
前記ディスプレイスクリーンの現在の視野角が広視野角である場合、前記第２の予め設定の輝度曲線から前記画像階調値に対応するスクリーンの輝度値を取得し、前記第１の予め設定の輝度曲線から前記スクリーンの輝度値に対応する画像階調値を取得し、目標階調値とするステップと、を含む。
【００１０】
本発明の第２の態様によると、視野角切換装置が提供され、前記視野角切換装置は、
視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用する取得モジュールと、
前記ディスプレイスクリーンの現在の視野角及び前記画像階調値に基づいて、目標階調値を決定し、前記目標階調値は、切り換えられた後の視野角において、切り換える前のスクリーンの輝度値と同じスクリーンの輝度値を取得することができる階調値である決定モジュールと、
前記ディスプレイスクリーンを狭視野角と広視野角との間で切り換え、且つ前記画像の画像階調を前記目標階調値に設定する切換モジュールと、を含む。
【００１１】
好ましくは、前記決定モジュールは、
前記ディスプレイスクリーンの現在の視野角及び前記画像階調値に基づき、予め設定された調整曲線によって目標階調値を決定し、前記予め設定された調整曲線は、スクリーンの輝度が同じである場合の、前記狭視野角における画像階調と前記広視野角における画像階調との関係を示すためのものである第１の決定サブモジュールを含む。
【００１２】
好ましくは、前記決定モジュールは、
第１の予め設定の輝度曲線及び第２の予め設定の輝度曲線に基づいて、前記予め設定された調整曲線を生成し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものである生成サブモジュールを、さらに含む。
【００１３】
好ましくは、前記第１の決定サブモジュールは、
前記ディスプレイスクリーンの現在の視野角に基づいて、前記予め設定された調整曲線において前記画像階調値が独立変数であるか、それとも従属変数であるかを判断し、
前記画像階調値が独立変数である場合、前記予め設定された調整曲線において横座標が前記画像階調値である点の縦座標を取得し、当該取得された縦座標を前記目標階調値として決定し、
前記画像階調値が従属変数である場合、前記予め設定された調整曲線において縦座標が前記画像階調値である点の横座標を取得し、当該取得された横座標を前記目標階調値として決定する。
【００１４】
好ましくは、前記決定モジュールは、
前記ディスプレイスクリーンの現在の視野角及び前記画像階調値に基づき、第１の予め設定の輝度曲線及び第２の予め設定の輝度曲線によって目標階調値を決定し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものである第２の決定サブモジュールを含む。
【００１５】
好ましくは、前記第２の決定サブモジュールは、
前記ディスプレイスクリーンの現在の視野角が狭視野角である場合、前記第１の予め設定の輝度曲線から前記画像階調値に対応するスクリーンの輝度値を取得し、前記第２の予め設定の輝度曲線から前記スクリーンの輝度値に対応する画像階調値を取得し、目標階調値とし、
前記ディスプレイスクリーンの現在の視野角が広視野角である場合、前記第２の予め設定の輝度曲線から前記画像階調値に対応するスクリーンの輝度値を取得し、前記第１の予め設定の輝度曲線から前記スクリーンの輝度値に対応する画像階調値を取得し、目標階調値とする。
【００１６】
本発明の第３の態様によれば、視野角切換装置が提供され、前記装置は、
プロセッサと、
前記プロセッサにより実行可能な命令を記憶するためのメモリとを備え、
前記プロセッサは、
視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用し、
前記ディスプレイスクリーンの現在の視野角及び前記画像階調値に基づいて目標階調値を決定し、前記目標階調値は、切り換えた後の視野角において、切り換える前のスクリーンの輝度値と同じスクリーンの輝度値を取得することができる階調値であり、
前記ディスプレイスクリーンを狭視野角と広視野角との間で切り換え、且つ前記画像の画像階調を前記目標階調値に設定するように構成される。
【発明の効果】
【００１７】
本発明の実施例が提供する技術方案によれば、下記のような技術効果を奏することができる。
【００１８】
即ち、本発明の実施例において、視野角の切換え命令が検出された場合、まず、ディスプレイスクリーンの現在の視野角を決定し、且つ表示されている画像の現在の画像階調値を取得し、続いて、ディスプレイスクリーンの現在の視野角及び当該画像階調値に基づいて、目標階調値を決定することができる。目標階調値は、切り換えられた後の視野角において、切り換える前のスクリーンの輝度値と同じスクリーンの輝度値を取得することができる階調値であるので、目標階調値を決定した後、ディスプレイスクリーンを狭視野角と広視野角との間で切り換え、且つ切り換えると同時に、上記画像の画像階調を目標階調値に設定することができる。この時、スクリーンの輝度は視野角の切り換える前後で変更されないので、視野角が切り換えられる時、スクリーンが突然明るくなったり、突然暗くなったりすることを避け、表示性能を向上させることができる。
【００１９】
なお、前記一般的な記載及び後述の詳細な記載は、単なる例示的で解釈的な記載であり、本発明はこれに対し限定されるものではない。
【図面の簡単な説明】
【００２０】
以下の図面は、明細書に組み入れて本明細書の一部分を構成し、本発明に該当する実施例を例示するとともに、明細書とともに本発明の原理を解釈する。
【図１】一例示的な実施例に係る視野角切換方法を示すフローチャートである。
【図２Ａ】一例示的な実施例に係る他の視野角切換方法を示すフローチャートである。
【図２Ｂ】一例示的な実施例に係る予め設定された調整曲線の模式図である。
【図２Ｃ】一例示的な実施例に係る第１の予め設定の輝度曲線及び第２の予め設定の輝度曲線の模式図である。
【図３】一例示的な実施例に係る視野角切換装置を示すブロック図である。
【図４】一例示的な実施例に係る他の視野角切換装置を示すブロック図である。
【発明を実施するための形態】
【００２１】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。逆に、それらは、特許請求の範囲に記載の本発明のある方面に一致する装置及び方法の例に過ぎない。
【００２２】
本発明の実施例を詳細に説明する前に、まず、本発明の実施例の応用シーンについて説明する。通常、ディスプレイスクリーンが狭視野角になる場合に平行バックライトを利用し、広視野角になる場合に発散バックライトを利用しているので、表示されている画像の画像階調が同じである場合、狭視野角におけるスクリーンの輝度は広視野角におけるスクリーンの輝度より大きい。従って、ディスプレイスクリーンが狭視野角と広視野角との間で切り換えられる場合、スクリーンの輝度は変更されることになる。例えば、ディスプレイスクリーンが狭視野角から広視野角に切り換えられると、スクリーンの輝度は減少し、ディスプレイスクリーンが広視野角から狭視野角に切り換えられると、輝度は増加するので、表示性能の低下を招き、且つユーザーの鑑賞体験の低下を招く。これに対して、本発明の実施例は、視野角を切り換えさせる時の表示性能を向上させることができる視野角切換方法を提供する。
【００２３】
図１は、一例示的な実施例に係る視野角切換方法を示すフローチャートであり、前記視野角切換方法は端末に用いられるものである。図１に示すように、上記視野角切換方法は、以下のステップを含む。
【００２４】
ステップ１０１において、視野角の切換え命令が検出された場合、ディスプレイスクリーンの現在の視野角を決定し、そして、表示されている画像の現在の画像階調値を取得し、視野角の切換え命令はディスプレイスクリーンを狭視野角と広視野角との間で切り換えるように指示するための命令であり、ディスプレイスクリーンが狭視野角になる場合には、平行バックライトを利用し、ディスプレイスクリーンが広視野角になる場合には、発散バックライトを利用する。
【００２５】
ステップ１０２において、ディスプレイスクリーンの現在の視野角及び画像階調値に基づいて目標階調値を決定し、目標階調値は、切り換えられた後の視野角において、切り換える前のスクリーンの輝度値と同じスクリーンの輝度値を取得することができる階調値である。
【００２６】
ステップ１０３において、ディスプレイスクリーンを狭視野角と広視野角との間で切り換え、そして、画像の画像階調を目標階調値に設定する。
【００２７】
本発明の実施例において、視野角の切換え命令が検出された場合、まず、ディスプレイスクリーンの現在の視野角を決定し、且つ表示されている画像の現在の画像階調値を取得し、続いて、ディスプレイスクリーンの現在の視野角及び上記画像階調値に基づいて、目標階調値を決定することができる。目標階調値は、切り換えられた後の視野角において、切り換える前のスクリーンの輝度値と同じスクリーンの輝度値を取得することができる階調値であるので、目標階調値を決定した後、ディスプレイスクリーンを狭視野角と広視野角との間で切り換え、且つ切り換えると同時に、上記画像の画像階調を目標階調値に設定することができる。この時、スクリーンの輝度は視野角の切り換える前後で変更されないので、視野角が切り換えられる時、スクリーンが突然明るくなったり、突然暗くなったりすることを避け、表示性能を向上させることができる。
【００２８】
好ましくは、ディスプレイスクリーンの現在の視野角及び画像階調値に基づいて、目標階調値を決定するステップは、
ディスプレイスクリーンの現在の視野角及び画像階調値に基づき、予め設定された調整曲線によって目標階調値を決定し、予め設定された調整曲線は、スクリーンの輝度が同じである場合の、狭視野角における画像階調と広視野角における画像階調との関係を示すための曲線であるステップを含む。
【００２９】
好ましくは、ディスプレイスクリーンの現在の視野角及び画像階調値に基づき、予め設定された調整曲線によって目標階調値を決定するステップに先立ち、
第１の予め設定の輝度曲線及び第２の予め設定の輝度曲線に基づいて、予め設定された調整曲線を生成し、第１の予め設定の輝度曲線は、狭視野角における画像階調とスクリーンの輝度との関係を示すための曲線であり、第２の予め設定の輝度曲線は、広視野角における画像階調とスクリーンの輝度との関係を示すための曲線であるステップを、さらに含む。
【００３０】
好ましくは、ディスプレイスクリーンの現在の視野角及び画像階調値に基づき、予め設定された調整曲線によって目標階調値を決定するステップは、
ディスプレイスクリーンの現在の視野角に基づいて、予め設定された調整曲線において画像階調値が独立変数であるか、それとも従属変数であるかを判断するステップと、
画像階調値が独立変数である場合、予め設定された調整曲線において横座標が画像階調値である点の縦座標を取得し、当該取得された縦座標を目標階調値として決定するステップと、
画像階調値が従属変数である場合、予め設定された調整曲線において縦座標が画像階調値である点の横座標を取得し、当該取得された横座標を目標階調値として決定するステップと、を含む。
【００３１】
好ましくは、ディスプレイスクリーンの現在の視野角及び画像階調値に基づいて、目標階調値を決定するステップは、
ディスプレイスクリーンの現在の視野角及び画像階調値に基づき、第１の予め設定の輝度曲線及び第２の予め設定の輝度曲線によって目標階調値を決定し、第１の予め設定の輝度曲線は、狭視野角における画像階調とスクリーンの輝度との関係を示すための曲線であり、第２の予め設定の輝度曲線は、広視野角における画像階調とスクリーンの輝度との関係を示すための曲線であるステップを含む。
【００３２】
好ましくは、ディスプレイスクリーンの現在の視野角及び画像階調値に基づき、第１の予め設定の輝度曲線及び第２の予め設定の輝度曲線によって目標階調値を決定するステップは、
ディスプレイスクリーンの現在の視野角が狭視野角である場合、第１の予め設定の輝度曲線から、画像階調値に対応するスクリーンの輝度値を取得し、第２の予め設定の輝度曲線から、スクリーンの輝度値に対応する画像階調値を取得し、この画像階調値を目標階調値とするステップと、
ディスプレイスクリーンの現在の視野角が広視野角である場合、第２の予め設定の輝度曲線から、画像階調値に対応するスクリーンの輝度値を取得し、第１の予め設定の輝度曲線から、スクリーンの輝度値に対応する画像階調値を取得し、この画像階調値を目標階調値とするステップと、を含む。
【００３３】
上記の好ましい技術手段のすべては、いずれも任意に組み合わせて本発明の好ましい実施例をなすことができるが、本発明の実施例は、これに対する詳細な説明を省略する。
【００３４】
図２Ａは、一例示的な実施例に係る視野角切換方法を示すフローチャートであり、前記視野角切換方法は端末に用いられるものである。図２Ａに示すように、上記視野角切換方法は、以下のステップを含む。
【００３５】
ステップ２０１において、視野角の切換え命令が検出された場合、ディスプレイスクリーンの現在の視野角を決定し、そして、表示されている画像の現在の画像階調値を取得する。
【００３６】
なお、視野角の切換え命令は、ディスプレイスクリーンを狭視野角と広視野角との間で切り換えるように指示するための命令である。例えば、ディスプレイスクリーンの現在の視野角が狭視野角である場合においては、当該視野角の切換え命令は、ディスプレイスクリーンの視野角を広視野角に切り換えるように指示し、ディスプレイスクリーンの現在の視野角が広視野角である場合においては、当該視野角の切換え命令は、ディスプレイスクリーンの視野角を狭視野角に切り換えるように指示するようになっている。
【００３７】
また、上記視野角の切換え命令は、ユーザーによりトリガーされてもよく、且つユーザーが指定の操作によりトリガーしてもよい。指定の操作は、シングルクリック操作、ダブルクリック操作、音声操作などであってもよい。もちろん、上記視野角の切換え命令は、端末により自動的にトリガーされてもよいが、本発明の実施例は、それに対して特に限定しない。
【００３８】
さらに、ディスプレイスクリーンが狭視野角になる時では、平行バックライトを利用でき、ディスプレイスクリーンが広視野角になる時では、発散バックライトを利用できる。平行バックライトである場合に、バックライト光源の光線はディスプレイスクリーンと垂直に出射され、発散バックライトである場合に、バックライト光源の光線はディスプレイスクリーンと斜めに出射される。
【００３９】
ここで、ディスプレイスクリーンが狭視野角になる場合に利用されているバックライトと広視野角になる場合に利用されているバックライトとは異なるので、ディスプレイスクリーンの現在の視野角を決定するための操作は、現在利用されているのが平行バックライトであるか、それとも発散バックライトであるかを判断し、そして、現在利用されているのが平行バックライトである場合、ディスプレイスクリーンの現在の視野角が狭視野角であると決定し、現在利用されているのが発散バックライトである場合、ディスプレイスクリーンの現在の視野角が広視野角であると決定するものであってもよい。
【００４０】
ここで、表示されている画像の現在の画像階調値を取得するための操作は、関連技術においてある画像の画像階調値を取得するための操作に類似するので、本発明の実施例は、それに対して詳しい説明をしない。
【００４１】
ステップ２０２において、ディスプレイスクリーンの現在の視野角及び当該画像階調値に基づいて、目標階調値を決定する。
【００４２】
なお、目標階調値は、切り換えられた後の視野角において、切り換える前のスクリーンの輝度値と同じスクリーンの輝度値を取得できる階調値であり、切り換える前のスクリーンの輝度値は、ディスプレイスクリーンの現在の視野角において、上記画像階調値により得られるスクリーンの輝度値である。例えば、切り換える前の視野角が広視野角であり、切り換えた後の視野角が狭視野角である場合に、狭視野角において目標階調値により得られるスクリーンの輝度値は、広視野角において上記画像階調値により得られるスクリーンの輝度値と同じである。
【００４３】
ここで、ディスプレイスクリーンの現在の視野角及び当該画像階調値に基づいて、目標階調値を決定する場合に、ディスプレイスクリーンの現在の視野角及び上記画像階調値に基づき、予め設定された調整曲線によって目標階調値を決定することができる。この時、目標階調値の決定の効率と決定の正確度は、いずれも相対的に高い。
【００４４】
なお、予め設定された調整曲線は予め設定されることができ、そして、予め設定された調整曲線は、スクリーンの輝度が同じである場合において、狭視野角における画像階調と広視野角における画像階調との関係を示すための曲線である。即ち、予め設定された調整曲線における各点に関して、該点の横座標が対応している視野角において得られるスクリーンの輝度と、該点の縦座標が対応している視野角において得られるスクリーンの輝度とは、同じである。
【００４５】
例えば、図２Ｂに示すように、予め設定された調整曲線は曲線ｌであり、予め設定された調整曲線ｌの独立変数は広視野角における画像階調であり、従属変数は狭視野角における画像階調である。仮に、点Ｑ（ａ、ｂ）が予め設定された調整曲線に位置しているとする時、画像階調ａが広視野角において得られるスクリーンの輝度と、画像階調ｂが狭視野角において得られるスクリーンの輝度とは、同じであることを示す。
【００４６】
ここで、ディスプレイスクリーンの現在の視野角及び当該画像階調値に基づき、予め設定された調整曲線によって目標階調値を決定するための操作は、ディスプレイスクリーンの現在の視野角に基づいて、予め設定された調整曲線において上記画像階調値が独立変数であるか、それとも従属変数であるかを判断し、当該画像階調値が独立変数である場合、予め設定された調整曲線において横座標が当該画像階調値である点の縦座標を取得し、当該取得された縦座標を目標階調値として決定し、上記画像階調値が従属変数である場合、予め設定された調整曲線において縦座標が上記画像階調値である点の横座標を取得し、当該取得された横座標を目標階調値として決定するものであってもよい。
【００４７】
例えば、図２Ｂに示すように、予め設定された調整曲線は曲線ｌであり、予め設定された調整曲線ｌの独立変数は広視野角における画像階調であり、従属変数は狭視野角における画像階調である。仮に、ディスプレイスクリーンの現在の視野角が広視野角であるとする時、予め設定された調整曲線ｌにおいて、上記画像階調値が独立変数であると決定することができ、上記画像階調値がａであるとする時、予め設定された調整曲線ｌにおいて横座標がａである点Ｑの縦座標ｂを取得することができ、当該取得された縦座標ｂを目標階調値として決定することができる。仮に、ディスプレイスクリーンの現在の視野角が狭視野角であるとする時、予め設定された調整曲線ｌにおいて、上記画像階調値が従属変数であることを決定することができ、当該画像階調値がｂであるとする時、予め設定された調整曲線ｌにおいて横座標がｂである点Ｑの横座標ａを取得することができ、当該取得された横座標ａを目標階調値として決定することができる。
【００４８】
さらに、ディスプレイスクリーンの現在の視野角及び当該画像階調値に基づき、予め設定された調整曲線によって目標階調値を決定するステップに先立ち、第１の予め設定の輝度曲線及び第２の予め設定の輝度曲線に基づいて、予め設定された調整曲線を生成することもできる。
【００４９】
なお、第１の予め設定の輝度曲線と第２の予め設定の輝度曲線は、いずれも予め設定されることができ、そして、第１の予め設定の輝度曲線は、狭視野角における画像階調とスクリーンの輝度との関係を示すための曲線であり、第２の予め設定の輝度曲線は、広視野角における画像階調とスクリーンの輝度との関係を示すための曲線である。
【００５０】
例えば、図２Ｃに示すように、第１の予め設定の輝度曲線は曲線ｍであり、第２の予め設定の輝度曲線は曲線ｎであり、第１の予め設定の輝度曲線ｍと第２の予め設定の輝度曲線ｎの独立変数は、いずれも画像階調であり、従属変数はいずれもスクリーンの輝度である。仮に、点Ｐ１（ｃ、ｄ）が第１の予め設定の輝度曲線ｍに位置しているとする時、画像階調ｃが狭視野角において得られるスクリーンの輝度はｄであることを示す。仮に、点Ｐ２（ｅ、ｆ）が第２の予め設定の輝度曲線ｎに位置しているとする時、画像階調ｅが広視野角において得られるスクリーンの輝度はｆであることを示す。
【００５１】
ここで、第１の予め設定の輝度曲線及び第２の予め設定の輝度曲線に基づいて、予め設定された調整曲線を生成するための操作は、第１の予め設定の輝度曲線におけるスクリーンの輝度と第２の予め設定の輝度曲線におけるスクリーンの輝度とが同じである場合、第１の予め設定の輝度曲線における画像階調と第２の予め設定の輝度曲線における画像階調との関係を決定し、第１の予め設定の輝度曲線における画像階調と第２の予め設定の輝度曲線における画像階調との関係によって、予め設定された調整曲線を生成するものであってもよい。
【００５２】
例えば、第１の予め設定の輝度曲線の関数の式はｙ１＝４ｘ１であり、第２の予め設定の輝度曲線の関数の式はｙ２＝２ｘ２であり、ただし、ｙ１は狭視野角におけるスクリーンの輝度であり、ｘ１は狭視野角における画像階調であり、ｙ２は広視野角におけるスクリーンの輝度であり、ｘ２は広視野角における画像階調である。第１の予め設定の輝度曲線におけるスクリーンの輝度と第２の予め設定の輝度曲線におけるスクリーンの輝度とが同じである場合、即ちｙ１＝ｙ２である場合に、第１の予め設定の輝度曲線における画像階調と第２の予め設定の輝度曲線における画像階調との関係を決定でき、即ちｘ１とｘ２との関係がｘ１＝０．５ｘ２であることになる。その後、ｘ１＝０．５ｘ２に基づいて、予め設定された調整曲線を生成することができ、ｘ１＝０．５ｘ２は予め設定された調整曲線の関数の式である。
【００５３】
なお、実際に応用する中で、ディスプレイスクリーンの現在の視野角及び上記画像階調値に基づいて目標階調値を決定する場合において、ディスプレイスクリーンの現在の視野角及び上記画像階調値に基づき、第１の予め設定の輝度曲線及び第２の予め設定の輝度曲線によって目標階調値を決定することもできる。この時、ディスプレイスクリーンの現在の視野角が狭視野角である場合、まず、第１の予め設定の輝度曲線から上記画像階調値に対応するスクリーンの輝度値を取得し、続いて、第２の予め設定の輝度曲線から上記画像輝度値に対応する画像階調値を取得し、目標階調値とすることができる。ディスプレイスクリーンの現在の視野角が広視野角である場合において、まず、第２の予め設定の輝度曲線から上記画像階調値に対応するスクリーンの輝度値を取得し、続いて、第１の予め設定の輝度曲線から上記スクリーンの輝度値に対応する画像階調値を取得し、目標階調値とすることができる。
【００５４】
例えば、図２Ｃに示すように、第１の予め設定の輝度曲線は曲線ｍであり、第２の予め設定の輝度曲線は曲線ｎであり、第１の予め設定の輝度曲線ｍと第２の予め設定の輝度曲線ｎの独立変数は、いずれも画像階調であり、従属変数はいずれもスクリーンの輝度である。仮に、ディスプレイスクリーンの現在の視野角が狭視野角であり、当該画像階調値がｃであるとするとき、まず、第１の予め設定の輝度曲線ｍから上記画像階調値ｃに対応するスクリーンの輝度値ｄを取得し、続いて、第２の予め設定の輝度曲線ｎから上記スクリーンの輝度値ｄに対応する画像階調値ｇを取得し、目標階調値とすることができる。仮に、ディスプレイスクリーンの現在の視野角が広視野角であり、当該画像階調値がｅであるとする時、まず、第２の予め設定の輝度曲線ｎから当該画像階調値ｅに対応するスクリーンの輝度値ｆを取得し、続いて、第１の予め設定の輝度曲線ｍから当該スクリーンの輝度値ｆに対応する画像階調値ｈを取得し、目標階調値とすることができる。
【００５５】
ステップ２０３において、ディスプレイスクリーンを狭視野角と広視野角との間で切り換え、且つ上記画像の画像階調を目標階調値に設定する。
【００５６】
なお、切り換えられた後の視野角において目標階調値により得られるスクリーンの輝度値は、切り換える前のスクリーンの輝度値と同じであるので、ディスプレイスクリーンに対して視野角の切り換えを行うと同時に、上記画像の画像階調を目標階調値に設定することは、スクリーンの輝度が視野角の切り換える前後で変更されない。即ち視野角が切り換えられる時、スクリーンが突然明るくならなかったり、突然暗くならなかったりすることを保証できる。これによって、表示性能を向上させことができ、ユーザーの鑑賞体験を向上させることができる。
【００５７】
ここで、ディスプレイスクリーンを狭視野角と広視野角との間で切り換えるための操作は、ディスプレイスクリーンを狭視野角から広視野角に切り換える場合に、利用されている平行バックライトを発散バックライトに調整し、ディスプレイスクリーンを広視野角から狭視野角に切り換える場合に、利用されている発散バックライトを平行バックライトに調整するものであってもよい。
【００５８】
ここで、上記画像の画像階調を目標階調値に設定するための操作は、関連技術においてある一つの画像の画像階調をある一つの階調値に設定する操作と類似するので、本発明の実施例は、それに対して詳しい説明をしない。
【００５９】
本発明の実施例において、視野角の切換え命令が検出された場合、まず、ディスプレイスクリーンの現在の視野角を決定し、且つ表示されている画像の現在の画像階調値を取得し、続いて、ディスプレイスクリーンの現在の視野角及び当該画像階調値に基づいて、目標階調値を決定することができる。目標階調値は、切り換えた後の視野角において、切り換える前のスクリーンの輝度値と同じスクリーンの輝度値を取得することができる階調値であるので、目標階調値を決定した後、ディスプレイスクリーンを狭視野角と広視野角との間で切り換え、且つ切り換えると同時に、上記画像の画像階調を目標階調値に設定することができる。この時、スクリーンの輝度は視野角の切り換える前後で変更されないので、視野角が切り換えられる時、スクリーンが突然明るくなったり、突然暗くなったりすることが避けられ、表示性能を向上させることができる。
【００６０】
図３は、一例示的な実施例に係る視野角切換装置を示すブロック図であり、図３を参照すると、上記視野角切換装置は、取得モジュール３０１、決定モジュール３０２及び切換モジュール３０３を含む。
【００６１】
取得モジュール３０１は、視野角の切換え命令が検出された場合、ディスプレイスクリーンの現在の視野角を決定し、且つ表示されている画像の現在の画像階調値を取得し、視野角の切換え命令は、ディスプレイスクリーンを狭視野角と広視野角との間で切り換えるように指示するための命令であり、ディスプレイスクリーンが狭視野角になる場合に平行バックライトを利用し、ディスプレイスクリーンが広視野角になる場合に発散バックライトを利用するために用いられている。
【００６２】
決定モジュール３０２は、ディスプレイスクリーンの現在の視野角及び画像階調値に基づいて目標階調値を決定し、目標階調値は、切り換えられた後の視野角において、切り換える前のスクリーンの輝度値と同じスクリーンの輝度値を取得することができる階調値であるために用いられている。
【００６３】
切換モジュール３０３は、ディスプレイスクリーンを狭視野角と広視野角との間で切り換え、且つ画像の画像階調を目標階調値に設定するために用いられている。
【００６４】
好ましくは、決定モジュール３０２は決定サブモジュールを含む。
【００６５】
第１の決定サブモジュールは、ディスプレイスクリーンの現在の視野角及び画像階調値に基づき、予め設定された調整曲線によって目標階調値を決定し、予め設定された調整曲線は、スクリーンの輝度が同じである場合の、狭視野角における画像階調と広視野角における画像階調との関係を示すために用いられている。
【００６６】
好ましくは、決定モジュールは生成サブモジュールをさらに含む。
生成サブモジュールは、第１の予め設定の輝度曲線及び第２の予め設定の輝度曲線に基づいて、予め設定された調整曲線を生成するために用いられ、第１の予め設定の輝度曲線は、狭視野角における画像階調とスクリーンの輝度との関係を示すために用いられる曲線であり、第２の予め設定の輝度曲線は、広視野角における画像階調とスクリーンの輝度との関係を示すための曲線である。
好ましくは、第１の決定サブモジュールは、
ディスプレイスクリーンの現在の視野角に基づいて、予め設定された調整曲線において画像階調値が独立変数であるか、それとも従属変数であるかを判断し、
画像階調値が独立変数である場合、予め設定された調整曲線において横座標が画像階調値である点の縦座標を取得し、当該取得された縦座標を目標階調値として決定し、
画像階調値が従属変数である場合、予め設定された調整曲線において縦座標が画像階調値である点の横座標を取得し、当該取得された横座標を目標階調値として決定するために用いられている。
【００６７】
好ましくは、決定モジュール３０２は第２の決定サブモジュールを含む。
【００６８】
第２の決定サブモジュールは、ディスプレイスクリーンの現在の視野角及び画像階調値に基づいて、第１の予め設定の輝度曲線及び第２の予め設定の輝度曲線によって目標階調値を決定するために用いられ、第１の予め設定の輝度曲線は、狭視野角における画像階調とスクリーンの輝度との関係を示すための曲線であり、第２の予め設定の輝度曲線は、広視野角における画像階調とスクリーンの輝度との関係を示すための曲線である。
【００６９】
好ましくは、第２の決定サブモジュールは、
ディスプレイスクリーンの現在の視野角が狭視野角である場合、第１の予め設定の輝度曲線から、画像階調値に対応するスクリーンの輝度値を取得し、第２の予め設定の輝度曲線から、スクリーンの輝度値に対応する画像階調値を取得し、この画像階調値を目標階調値とし、
ディスプレイスクリーンの現在の視野角が広視野角である場合、第２の予め設定の輝度曲線から、画像階調値に対応するスクリーンの輝度値を取得し、第１の予め設定の輝度曲線から、スクリーンの輝度値に対応する画像階調値を取得し、この画像階調値を目標階調値とするために用いられている。
【００７０】
本発明の実施例において、視野角の切換え命令が検出された場合、まず、ディスプレイスクリーンの現在の視野角を決定し、且つ表示されている画像の現在の画像階調値を取得し、続いて、ディスプレイスクリーンの現在の視野角及び上記画像階調値に基づいて、目標階調値を決定することができる。目標階調値は、切り換えられた後の視野角において、切り換える前のスクリーンの輝度値と同じスクリーンの輝度値を取得することができる階調値であるので、目標階調値を決定した後、ディスプレイスクリーンを狭視野角と広視野角との間で切り換え、且つ切り換えると同時に、上記画像の画像階調を目標階調値に設定することができる。この時、スクリーンの輝度は、視野角が切り換えられる前後で変更されないので、視野角が切り換えられる時、スクリーンが突然明るくなったり、突然暗くなったりすることを避け、表示性能を向上させることができる。
【００７１】
上述実施例の装置において、各モジュールが操作を行う具体的な形態は、既に関連方法に係る実施例において詳しく説明されており、ここで詳細な説明を省略する。
【００７２】
図４は、一例示的な実施例に係る視野角切換装置４００を示すブロック図である。例えば、視野角切換装置４００は、携帯電話、コンピュータ、デジタルブロードキャスト端末、メッセージ送受信機器、ゲームコンソール、タブレットデバイス、医療機器、フィットネス機器、個人向け携帯型情報端末機器（ＰＤＡ）などであってもよい。
【００７３】
図４を参照すると、視野角切換装置４００は、処理ユニット４０２、メモリ４０４、電源ユニット４０６、マルチメディアユニット４０８、オーディオユニット４１０、入力／出力（Ｉ／Ｏ）インタフェース４１２、センサーユニット４１４、及び通信ユニット４１６からなる群から選ばれる少なくとも１つを備えてもよい。
【００７４】
処理ユニット４０２は、一般的には、装置４００の全体の操作、例えば、表示、電話呼び出し、データ通信、カメラ操作及び記録操作に関連する操作を制御する。処理ユニット４０２は、上述した方法におけるステップの一部又は全部を実現できるように、命令を実行する少なくとも１つのプロセッサ４２０を備えてもよい。また、処理ユニット４０２は、他のユニットとのインタラクションを便利にさせるように、少なくとも１つのモジュールを備えてもよい。例えば、処理ユニット４０２は、マルチメディアユニット４０８とのインタラクションを便利にさせるように、マルチメディアモジュールを備えてもよい。
【００７５】
メモリ４０４は、視野角切換装置４００での操作をサポートするように、各種のデータを記憶するように構成される。これらのデータは、例えば、視野角切換装置４００で何れのアプリケーション又は方法を操作するための命令、連絡先データ、電話帳データ、メッセージ、画像、ビデオなどを含む。メモリ４０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【００７６】
電源ユニット４０６は、視野角切換装置４００の各種ユニットに電力を供給するためのものであり、電源管理システム、１つ又は複数の電源、及び視野角切換装置４００のために電力を生成、管理及び分配することに関連する他のユニットを備えてもよい。
【００７７】
マルチメディアユニット４０８は、視野角切換装置４００とユーザーとの間に出力インタフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。前記タッチセンサーは、タッチやスライド動作の境界を感知できるだけではなく、タッチやスライド操作と関連する持続時間や圧力も感知できる。一実施例では、マルチメディアユニット４０８は、フロントカメラ及び／又はバックカメラを有してもよい。視野角切換装置４００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００７８】
オーディオユニット４１０は、オーディオ信号を出力及び／又は入力するように構成される。例えば、オーディオユニット４１０は、マイクロフォン（ＭＩＣ）を有してもよい。視野角切換装置４００が、例えば、呼び出しモード、記録モード、又は音声認識モードのような操作モードにある時、マイクロフォンは、外部のオーディオ信号を受信するように配置される。受信したオーディオ信号は、メモリ４０４にさらに記憶されてもよいし、通信ユニット４１６を介して送信されてもよい。一実施例では、オーディオユニット４１０は、オーディオ信号を出力するためのスピーカをさらに備えてもよい。
【００７９】
Ｉ／Ｏインタフェース４１２は、処理ユニット４０２と外部のインタフェースモジュールとの間にインタフェースを提供するためのものである。上記外部のインタフェースモジュールは、キーボードや、クリックホイールや、ボタンなどであってもよい。これらのボタンは、ホームボタンや、音量ボタンや、スタートボタンや、ロックボタンであってもよいが、それらに限らない。
【００８０】
センサーユニット４１４は、視野角切換装置４００のために各方面の状態を評価する少なくとも１つのセンサーを備えてもよい。例えば、センサーユニット４１４は、視野角切換装置４００のオン／オフ状態や、ユニットの相対的な位置を検出することができる。例えば、前記ユニットは、視野角切換装置４００のディスプレイ及びキーパッドである。センサーユニット４１４は、視野角切換装置４００又は視野角切換装置４００の１つのユニットの位置の変化、ユーザーによる視野角切換装置４００への接触の有無、視野角切換装置４００の方向又は加速／減速、視野角切換装置４００の温度変化などを検出することができる。センサーユニット４１４は、何れの物理的な接触もない場合に付近の物体を検出するように構成される近接センサーを有してもよい。センサーユニット４１４は、イメージングアプリケーションに用いるための光センサー、例えば、ＣＭＯＳ又はＣＣＤ画像センサーを有してもよい。一実施例では、当該センサーユニット４１４は、加速度センサー、ジャイロスコープセンサー、磁気センサー、圧力センサー又は温度センサーをさらに備えてもよい。
【００８１】
通信ユニット４１６は、視野角切換装置４００と他の設備の間との無線又は有線通信を便利にさせるように構成される。視野角切換装置４００は、通信標準に基づく無線ネットワーク、例えば、ＷｉＦｉ、２Ｇ又は３Ｇ、又はそれらの組み合わせにアクセスできる。１つの例示的な実施例では、通信ユニット４１６は、ブロードキャストチャンネルを介して外部のブロードキャスト管理システムからのブロードキャスト信号又はブロードキャストに関する情報を受信する。１つの例示的な実施例では、前記通信ユニット４１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ）技術及び他の技術により実現されてもよい。
【００８２】
例示的な実施例では、視野角切換装置４００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【００８３】
例示的な実施例では、命令を有する非一時的コンピュータ読み取り可能な記録媒体、例えば、命令を有するメモリ４０４をさらに提供する。前記命令は、装置４００のプロセッサ４２０により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリなどであってもよい。
【００８４】
非一時的コンピュータ可読記録媒体は、前記記録媒体における命令が端末のプロセッサにより実行される場合、端末が上記図１の実施例で提供された視野角切換方法を実行するようにする。
【００８５】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲により示される。
【００８６】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【００８７】
本願は、出願番号がＣＮ２０１７１０１８３８０９.６であって、出願日が２０１７年０３月２４日である中国特許出願に基づいて優先権を主張し、当該中国特許出願のすべての内容を本願に援用する。
【図１】
2019514031.tif 000003
【図２Ａ】
2019514031.tif 000004
【図２Ｂ】
2019514031.tif 000005
【図２Ｃ】
2019514031.tif 000006
【図３】
2019514031.tif 000007
【図４】
2019514031.tif 000008
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用するステップと、
前記ディスプレイスクリーンの現在の視野角及び前記画像階調値に基づいて、目標階調値を決定し、前記目標階調値は、切り換えられた後の視野角において、切り換える前のスクリーンの輝度値と同じスクリーンの輝度値を取得することができる階調値であるステップと、
前記ディスプレイスクリーンを狭視野角と広視野角との間で切り換え、且つ前記画像の画像階調を前記目標階調値に設定するステップと、を含む
ことを特徴とする視野角切換方法。
【請求項２】
前記ディスプレイスクリーンの現在の視野角及び前記画像階調値に基づいて、目標階調値を決定するステップは、
前記ディスプレイスクリーンの現在の視野角及び前記画像階調値に基づき、予め設定された調整曲線によって前記目標階調値を決定し、前記予め設定された調整曲線は、スクリーンの輝度が同じである場合の、前記狭視野角における画像階調と前記広視野角における画像階調との関係を示すためのものであるステップを含む
ことを特徴とする請求項１に記載の視野角切換方法。
【請求項３】
前記ディスプレイスクリーンの現在の視野角及び前記画像階調値に基づき、予め設定された調整曲線によって目標階調値を決定するステップに先立ち、
第１の予め設定の輝度曲線及び第２の予め設定の輝度曲線に基づいて、前記予め設定された調整曲線を生成し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものであるステップを、さらに含む
ことを特徴とする請求項２に記載の視野角切換方法。
【請求項４】
前記ディスプレイスクリーンの現在の視野角及び前記画像階調値に基づき、予め設定された調整曲線によって目標階調値を決定するステップは、
前記ディスプレイスクリーンの現在の視野角に基づいて、前記予め設定された調整曲線において前記画像階調値が独立変数であるか、それとも従属変数であるかを判断するステップと、
前記画像階調値が独立変数である場合、前記予め設定された調整曲線において横座標が前記画像階調値である点の縦座標を取得し、当該取得された縦座標を前記目標階調値として決定するステップと、
前記画像階調値が従属変数である場合、前記予め設定された調整曲線において縦座標が前記画像階調値である点の横座標を取得し、当該取得された横座標を前記目標階調値として決定するステップと、を含む
ことを特徴とする請求項２又は３に記載の視野角切換方法。
【請求項５】
前記ディスプレイスクリーンの現在の視野角及び前記画像階調値に基づいて、目標階調値を決定するステップは、
前記ディスプレイスクリーンの現在の視野角及び前記画像階調値に基づき、第１の予め設定の輝度曲線及び第２の予め設定の輝度曲線によって前記目標階調値を決定し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものであるステップを含む
ことを特徴とする請求項１に記載の視野角切換方法。
【請求項６】
前記ディスプレイスクリーンの現在の視野角及び前記画像階調値に基づき、第１の予め設定の輝度曲線及び第２の予め設定の輝度曲線によって目標階調値を決定するステップは、
前記ディスプレイスクリーンの現在の視野角が狭視野角である場合、前記第１の予め設定の輝度曲線から前記画像階調値に対応するスクリーンの輝度値を取得し、前記第２の予め設定の輝度曲線から前記スクリーンの輝度値に対応する画像階調値を取得し、前記目標階調値とするステップと、
前記ディスプレイスクリーンの現在の視野角が広視野角である場合、前記第２の予め設定の輝度曲線から前記画像階調値に対応するスクリーンの輝度値を取得し、前記第１の予め設定の輝度曲線から前記スクリーンの輝度値に対応する画像階調値を取得し、前記目標階調値とするステップと、を含む
ことを特徴とする請求項５に記載の視野角切換方法。
【請求項７】
視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用する取得モジュールと、
前記ディスプレイスクリーンの現在の視野角及び前記画像階調値に基づいて、目標階調値を決定し、前記目標階調値は、切り換えられた後の視野角において、切り換える前のスクリーンの輝度値と同じスクリーンの輝度値を取得することができる階調値である決定モジュールと、
前記ディスプレイスクリーンを狭視野角と広視野角との間で切り換え、且つ前記画像の画像階調を前記目標階調値に設定するための切換モジュールと、を含む
ことを特徴とする視野角切換装置。
【請求項８】
前記決定モジュールは、
前記ディスプレイスクリーンの現在の視野角及び前記画像階調値に基づき、予め設定された調整曲線によって前記目標階調値を決定し、前記予め設定された調整曲線は、スクリーンの輝度が同じである場合の、前記狭視野角における画像階調と前記広視野角における画像階調との関係を示すためのものである第１の決定サブモジュールを含む
ことを特徴とする請求項７に記載の視野角切換装置。
【請求項９】
前記決定モジュールは、
第１の予め設定の輝度曲線及び第２の予め設定の輝度曲線に基づいて、前記予め設定された調整曲線を生成し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものである生成サブモジュールを、さらに含む
ことを特徴とする請求項８に記載の視野角切換装置。
【請求項１０】
前記第１の決定サブモジュールは、
前記ディスプレイスクリーンの現在の視野角に基づいて、前記予め設定された調整曲線において前記画像階調値が独立変数であるか、それとも従属変数であるかを判断し、
前記画像階調値が独立変数である場合、前記予め設定された調整曲線において横座標が前記画像階調値である点の縦座標を取得し、当該取得された縦座標を前記目標階調値として決定し、
前記画像階調値が従属変数である場合、前記予め設定された調整曲線において縦座標が前記画像階調値である点の横座標を取得し、当該取得された横座標を前記目標階調値として決定する
ことを特徴とする請求項８又は９に記載の視野角切換装置。
【請求項１１】
前記決定モジュールは、
前記ディスプレイスクリーンの現在の視野角及び前記画像階調値に基づき、第１の予め設定の輝度曲線及び第２の予め設定の輝度曲線によって前記目標階調値を決定し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものである第２の決定サブモジュールを含む
ことを特徴とする請求項７に記載の視野角切換装置。
【請求項１２】
前記第２の決定サブモジュールは、
前記ディスプレイスクリーンの現在の視野角が狭視野角である場合、前記第１の予め設定の輝度曲線から前記画像階調値に対応するスクリーンの輝度値を取得し、前記第２の予め設定の輝度曲線から前記スクリーンの輝度値に対応する画像階調値を取得し、前記目標階調値とし、
前記ディスプレイスクリーンの現在の視野角が広視野角である場合、前記第２の予め設定の輝度曲線から前記画像階調値に対応するスクリーンの輝度値を取得し、前記第１の予め設定の輝度曲線から前記スクリーンの輝度値に対応する画像階調値を取得し、前記目標階調値とする
ことを特徴とする請求項１１に記載の視野角切換装置。
【請求項１３】
プロセッサと、
前記プロセッサにより実行可能な命令を記憶するためのメモリとを備え、
前記プロセッサは、
視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用し、
前記ディスプレイスクリーンの現在の視野角及び前記画像階調値に基づいて目標階調値を決定し、前記目標階調値は、切り換えられた後の視野角において、切り換える前のスクリーンの輝度値と同じスクリーンの輝度値を取得することができる階調値であり、
前記ディスプレイスクリーンを狭視野角と広視野角との間で切り換え、且つ前記画像の画像階調を前記目標階調値に設定するように構成される
ことを特徴とする視野角切換装置。
【請求項１４】
プロセッサに実行されることにより、請求項１から請求項６のいずれか１項に記載のセルフバランスカーの制御方法を実現することを特徴とするプログラム。
【請求項１５】
請求項１４に記載のプログラムが記録された記録媒体。
【手続補正３】
【補正対象書類名】明細書
【補正対象項目名】０００１
【補正方法】変更
【補正の内容】
【０００１】
本発明は、電子技術分野に関し、特に、視野角切換方法、装置、プログラム及び記録媒体に関する。
【手続補正４】
【補正対象書類名】明細書
【補正対象項目名】０００３
【補正方法】変更
【補正の内容】
【０００３】
本発明は、視野角を切り換える時の表示性能を向上させるために、視野角切換方法、装置、プログラム及び記録媒体を提供する。
【手続補正５】
【補正対象書類名】明細書
【補正対象項目名】００１６
【補正方法】変更
【補正の内容】
【００１６】
本発明の第３の態様によれば、視野角切換装置が提供され、前記装置は、
プロセッサと、
前記プロセッサにより実行可能な命令を記憶するためのメモリとを備え、
前記プロセッサは、
視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用し、
前記ディスプレイスクリーンの現在の視野角及び前記画像階調値に基づいて目標階調値を決定し、前記目標階調値は、切り換えた後の視野角において、切り換える前のスクリーンの輝度値と同じスクリーンの輝度値を取得することができる階調値であり、
前記ディスプレイスクリーンを狭視野角と広視野角との間で切り換え、且つ前記画像の画像階調を前記目標階調値に設定するように構成される。
本発明の実施例の第４の態様によると、プログラムを提供し、当該プログラムは、プロセッサに実行されることにより、上記の方法を実現する。
本発明の実施例の第５の態様によると、記録媒体を提供し、当該記録媒体には、上記プログラムが記録されている。
【国際調査報告】
2019514031.tif 000009
2019514031.tif 000010
2019514031.tif 000011
2019514031.tif 000012